(57)【特許請求の範囲】
【請求項１】
画像を生成する画像生成部、及び装着者の少なくとも一方の眼前に配置され前記画像を表示する表示部を有する画像表示ユニットと、頭部装着具と、を備え、
前後の方向を装着者に装着されたときの当該装着者の顔の前後の方向とし、左右の方向を装着者に装着されたときの当該装着者の顔の左右の方向とし、上下の方向を装着者に装着されたときの当該装着者の顔の上下の方向とするとして、
前記頭部装着具は、装着者の顔前に配置されて左右方向に延設され、前記画像表示ユニットが取り付けられるメインフレームを有し、
前記画像表示ユニットによって装着者に画像を表示するように前記画像表示ユニットが前記メインフレームに配置された表示形態にでき、
前記メインフレームは、
表示形態時の前記画像表示ユニットの右側で右側に延出する表示部右延出部と、
表示形態時の前記画像表示ユニットの左側で左側に延出する表示部左延出部と、を有し、前記表示部右延出部及び前記表示部左延出部より後方に、前記画像表示ユニットの後面が配置され、
さらに、前記メインフレームは、前記表示部右延出部の左端部と前記表示部左延出部の右端部とを繋ぐブリッジ部を有し、
前記ブリッジ部は、前記画像表示ユニットの前記後面の後ろ側を通って左右に渡るように設けられ、
前記表示部右延出部及び前記表示部左延出部に熱伝導性材料が適用され、表示形態時に当該熱伝導性材料が前記画像表示ユニットにおける発熱を吸熱するように熱的に接続されることを特徴とするヘッドマウントディスプレイ。
【請求項２】
前記表示部を装着者の一方の眼前に配置し前記画像表示ユニットを左右のうち当該一方の眼の側に偏在させて配置した片眼表示形態に構成され、
表示形態時の前記画像表示ユニットを前後方向軸回りの第１ヒンジを介して支持し、上下方向軸回りの第２ヒンジを介して前記メインフレームに連結されたアームを備え、
前記第１ヒンジは、前記画像表示ユニットの左右方向寸法の中央に配置され、
前記第２ヒンジは、前記画像表示ユニットの左右片側に配置され、
表示形態時には、前記第１ヒンジによる前記画像表示ユニットの上下左右反転動作が不能となるように前記メインフレームで保持され、
前記第２ヒンジ回りに回動して前記画像表示ユニットを前方へ離脱させることで、前記第１ヒンジによる前記画像表示ユニットの上下左右反転動作が可能とされる請求項１に記載のヘッドマウントディスプレイ。
【請求項３】
前記画像表示ユニットから延出するケーブルを、前記第１ヒンジ近傍を通し、さらに第２ヒンジ近傍を通して引き出した請求項２に記載のヘッドマウントディスプレイ。
【請求項４】
前記第２ヒンジは前記画像表示ユニットに対し、左右のうち前記画像表示ユニットを偏在させた側の反対側に配置され、
前記ケーブルが、前記頭部装着具の前記画像表示ユニットを偏在させた側の反対側に引き出された請求項３に記載のヘッドマウントディスプレイ。
【請求項５】
前記第１ヒンジによる回転は、前記画像表示ユニットの上下左右反転動作が可能とされる範囲に限定するように規制されている請求項２、請求項３又は請求項４に記載のヘッドマウントディスプレイ。
【請求項６】
前記画像表示ユニットの前記後面と、前記ブリッジ部との間に空隙が設けられてなる請求項１から請求項５のうちいずれか一に記載のヘッドマウントディスプレイ。
【請求項７】
前記画像表示ユニットの前記後面と、前記ブリッジ部との間に断熱性材料が配置されてなる請求項１から請求項５のうちいずれか一に記載のヘッドマウントディスプレイ。
【請求項８】
前記ブリッジ部の装着者の顔に対向する後面を被覆する断熱性材料からなるカバーが前記ブリッジ部に付設されてなる請求項１から請求項７のうちいずれか一に記載のヘッドマウントディスプレイ。
【請求項９】
前記頭部装着具は、前記メインフレームの両端に連続する一対のＨＭＤテンプルを備え、前記一対のＨＭＤテンプルが装着者の耳に掛けられるとともに、装着者が装着しているメガネに支持される支点が設けられて装着され、
装着者の耳より前方で前記メガネのテンプルに接して前記支点を構成する一対の支持部が前記一対のＨＭＤテンプルに連結して設けられた請求項１から請求項８のうちいずれか一に記載のヘッドマウントディスプレイ。
【請求項１０】
前記支持部が前記ＨＭＤテンプルの長手方向軸を中心に１８０°転換設置可能に構成されていることを特徴とする請求項９に記載のヘッドマウントディスプレイ。
【発明の詳細な説明】
【技術分野】
【０００１】
本発明は、ヘッドマウントディスプレイ（head mounted display）に関する。
【背景技術】
【０００２】
近年、人体の頭部に装着され、装着者に対してパーソナルに画像を視認させるヘッドマウントディスプレイや、これを利用したウェアラブルコンピューターが開発されている。ヘッドマウントディスプレイをモバイルコンピューターに接続すれば、コンピューターグラフィック画面が虚像としてユーザーの眼前に形成されるので、ディスプレイをユーザーの頭部に装着可能なウェアラブルコンピューターが提供される。
【０００３】
ヘッドマウントディスプレイの具体的形態としては、特許文献１，２にも記載されるように、少なくとも一方の眼に映像を映し出すヘッドマウントディスプレイが存在する。
特許文献１，２には、右眼に映像を映し出す右眼表示形態と、左眼に映像を映し出す左眼表示形態とに転換可能なヘッドマウントディスプレイが記載されている。
また、特許文献１，２には、ヘアバンド状やリング状の頭部装着具に画像表示ユニットを支持したものが記載されている。
特許文献１に記載の発明にあっては、画像表示ユニットを上下左右反転し、全体を上下左右反転することで、右眼表示形態と左眼表示形態とに転換可能とする。
特許文献２に記載の発明にあっては、頭部装着具を装着し直すことなく、画像表示ユニットを右眼前と左眼前との間で相互に移動可能に保持することで、右眼表示形態と左眼表示形態とに転換可能とする。
【先行技術文献】
【特許文献】
【０００４】
【特許文献１】特開２００１−０７５４９６号公報
【特許文献２】特開平０９−３１８９０５号公報
【発明の概要】
【発明が解決しようとする課題】
【０００５】
ヘッドマウントディスプレイは、頭部に装着するため小型軽量であることが望ましい。
しかし、画像表示ユニットにＬＥＤ光源や反射型液晶などの発熱源を内蔵しているため、放熱をしないと電気部品の寿命を縮めたり、画像表示ユニットの発熱により装着者がやけどしたりする懸念がある。
放熱するには、ある表面積を持った熱伝導性の放熱部材が必要であり、放熱部材の大型化により放熱性が向上する、よって、放熱対策と小型軽量化とは相反する課題となりがちである。
特許文献１，２に記載の発明はいずれも、画像表示ユニットを支持する頭部装着具が、ヘアバンド状やリング状により頭部に密着する形態をとるので、画像表示ユニットの熱を頭部装着具に逃がすことが難しい。また、このようなヘアバンド状やリング状の頭部装着部は、上下方向に受ける部分（乗る部分）が存在しないので、装着中のずり下がりを防止するために、頭部装着具によって頭部の締め付ける保持力を上げる必要があり、長時間の装着は難しく、ますます画像表示ユニットの熱を頭部装着具に逃がす放熱対策は難しくなる。
頭部装着具に熱を逃がすことなく画像表示ユニットのみで必要な放熱性を確保しようとすると、上述したように画像表示ユニットに大きな放熱部材が設けられて画像表示ユニットが大型化して好ましくない。
【０００６】
本発明は以上の従来技術における問題に鑑みてなされたものであって、良好な小型軽量性及び放熱性を有し、装着性、品質保持性に優れたヘッドマウントディスプレイを提供することを課題とする。
【課題を解決するための手段】
【０００７】
以上の課題を解決するための請求項１記載の発明は、画像を生成する画像生成部、及び装着者の少なくとも一方の眼前に配置され前記画像を表示する表示部を有する画像表示ユニットと、頭部装着具と、を備え、
前後の方向を装着者に装着されたときの当該装着者の顔の前後の方向とし、左右の方向を装着者に装着されたときの当該装着者の顔の左右の方向とし、上下の方向を装着者に装着されたときの当該装着者の顔の上下の方向とするとして、
前記頭部装着具は、装着者の顔前に配置されて左右方向に延設され、前記画像表示ユニットが取り付けられるメインフレームを有し、
前記画像表示ユニットによって装着者に画像を表示するように前記画像表示ユニットが前記メインフレームに配置された表示形態にでき、
前記メインフレームは、
表示形態時の前記画像表示ユニットの右側で右側に延出する表示部右延出部と、
表示形態時の前記画像表示ユニットの左側で左側に延出する表示部左延出部と、を有し、前記表示部右延出部及び前記表示部左延出部より後方に、前記画像表示ユニットの後面が配置され、
さらに、前記メインフレームは、前記表示部右延出部の左端部と前記表示部左延出部の右端部とを繋ぐブリッジ部を有し、
前記ブリッジ部は、前記画像表示ユニットの前記後面の後ろ側を通って左右に渡るように設けられ、
前記表示部右延出部及び前記表示部左延出部に熱伝導性材料が適用され、表示形態時に当該熱伝導性材料が前記画像表示ユニットにおける発熱を吸熱するように熱的に接続されることを特徴とするヘッドマウントディスプレイである。
【０００９】
請求項２記載の発明は、前記表示部を装着者の一方の眼前に配置し前記画像表示ユニットを左右のうち当該一方の眼の側に偏在させて配置した片眼表示形態に構成され、
表示形態時の前記画像表示ユニットを前後方向軸回りの第１ヒンジを介して支持し、上下方向軸回りの第２ヒンジを介して前記メインフレームに連結されたアームを備え、
前記第１ヒンジは、前記画像表示ユニットの左右方向寸法の中央に配置され、
前記第２ヒンジは、前記画像表示ユニットの左右片側に配置され、
表示形態時には、前記第１ヒンジによる前記画像表示ユニットの上下左右反転動作が不能となるように前記メインフレームで保持され、
前記第２ヒンジ回りに回動して前記画像表示ユニットを前方へ離脱させることで、前記第１ヒンジによる前記画像表示ユニットの上下左右反転動作が可能とされる請求項１に記載のヘッドマウントディスプレイである。
【００１０】
請求項３記載の発明は、前記画像表示ユニットから延出するケーブルを、前記第１ヒンジ近傍を通し、さらに第２ヒンジ近傍を通して引き出した請求項２に記載のヘッドマウントディスプレイである。
【００１１】
請求項４記載の発明は、前記第２ヒンジは前記画像表示ユニットに対し、左右のうち前記画像表示ユニットを偏在させた側の反対側に配置され、
前記ケーブルが、前記頭部装着具の前記画像表示ユニットを偏在させた側の反対側に引き出された請求項３に記載のヘッドマウントディスプレイである。
【００１２】
請求項５記載の発明は、前記第１ヒンジによる回転は、前記画像表示ユニットの上下左右反転動作が可能とされる範囲に限定するように規制されている請求項２、請求項３又は請求項４に記載のヘッドマウントディスプレイである。
【００１３】
請求項６記載の発明は、前記画像表示ユニットの前記後面と、前記ブリッジ部との間に空隙が設けられてなる請求項１から請求項５のうちいずれか一に記載のヘッドマウントディスプレイである。
【００１４】
請求項７記載の発明は、前記画像表示ユニットの前記後面と、前記ブリッジ部との間に断熱性材料が配置されてなる請求項１から請求項５のうちいずれか一に記載のヘッドマウントディスプレイである。
【００１５】
請求項８記載の発明は、前記ブリッジ部の装着者の顔に対向する後面を被覆する断熱性材料からなるカバーが前記ブリッジ部に付設されてなる請求項１から請求項７のうちいずれか一に記載のヘッドマウントディスプレイである。
【００１６】
請求項９記載の発明は、前記頭部装着具は、前記メインフレームの両端に連続する一対のＨＭＤテンプルを備え、
前記一対のＨＭＤテンプルが装着者の耳に掛けられるとともに、装着者が装着しているメガネに支持される支点が設けられて装着され、
装着者の耳より前方で前記メガネのテンプルに接して前記支点を構成する一対の支持部が前記一対のＨＭＤテンプルに連結して設けられた請求項１から請求項８のうちいずれか一に記載のヘッドマウントディスプレイである。
なお、ヘッドマウントディスプレイの有するテンプルを「ＨＭＤテンプル」と称して、メガネのテンプルと区別する。
【００１７】
請求項１０記載の発明は、前記支持部が前記ＨＭＤテンプルの長手方向軸を中心に１８０°転換設置可能に構成されていることを特徴とする請求項９に記載のヘッドマウントディスプレイである。
【発明の効果】
【００１８】
本発明によれば、画像表示ユニットは装着者の顔に接触することはなく、メインフレームの画像表示ユニットの左右両側に配置される表示部右延出部及び表示部左延出部も装着者の顔に接触することはなく、画像表示ユニットの発熱を表示部右延出部及び表示部左延出部に逃がして放熱することができるから、画像表示ユニットに大型の放熱部材を設けることもなく、良好な小型軽量性及び放熱性を有し、装着性、品質保持性に優れたヘッドマウントディスプレイを構成することができる。
【図面の簡単な説明】
【００１９】
【図１】本発明の一実施形態に係るヘッドマウントディスプレイの斜視図である。
【図２】本発明の一実施形態に係るヘッドマウントディスプレイの上面図である。
【図３】本発明の一実施形態に係るヘッドマウントディスプレイの装着状態を示す左側面図である。
【図４】本発明の一実施形態に係るヘッドマウントディスプレイの画像表示ユニットが含まれる部分上面図(a)、及びメインフレームの上面図(b)である。図(b)においてカバーを分離して描いている。
【図５】本発明の一実施形態に係るヘッドマウントディスプレイの画像表示ユニットを取り付ける部分を含むメインフレームの斜視図である。
【図６】本発明の一実施形態に係るヘッドマウントディスプレイの画像表示ユニットの斜視図である。
【図７】図６に示す状態に対しアームが画像表示ユニットに連結された状態の斜視図である。
【図８】図７と同様にアームが画像表示ユニットに連結された状態の下から見た斜視図である。
【図９】本発明の一実施形態に係るヘッドマウントディスプレイの画像表示ユニットが含まれる部分斜視図であり、(a)は表示形態（右眼表示形態）を示し、(b)は画像表示ユニットが前方に離脱した状態を示す。
【図１０】本発明の一実施形態に係るヘッドマウントディスプレイの画像表示ユニットが含まれる部分斜視図であり、(a)は画像表示ユニットが回転する様子を示し、(b)は画像表示ユニットが上下反転した状態を示す。
【図１１】本発明の一実施形態に係るヘッドマウントディスプレイの画像表示ユニットが含まれる部分斜視図であり、図１０(b)に示す状態から画像表示ユニットが表示形態に戻された状態を示す。但し、左眼表示形態である。
【図１２】本発明の一実施形態に係るヘッドマウントディスプレイの支持部の斜視図である。
【図１３】本発明の一実施形態に係るヘッドマウントディスプレイの支持部の分解俯瞰斜視図である。
【図１４】本発明の一実施形態に係るヘッドマウントディスプレイの支持部の分解仰視斜視図である。
【図１５】本発明の一実施形態に係るヘッドマウントディスプレイの支持部の上面図であり、(a)はゴムパッドを左に傾けた形態を、(b)はゴムパッドを右に傾けた形態を示す。
【図１６】本発明の一実施形態に係るヘッドマウントディスプレイの支持部の斜視図(a)と、これにＨＭＤテンプルの後方部を嵌入した状態を示す斜視図(b)である。
【図１７】本発明の一実施形態に係るヘッドマウントディスプレイの支持部とＨＭＤテンプルとの連結部を垂直に切断した切断図である。
【図１８】本発明の一実施形態に係るヘッドマウントディスプレイの支持部を幅方向中央面で切断した切断図である。
【図１９】本発明の一実施形態に係るヘッドマウントディスプレイの支持部を含む部分の左側面図であり、(a)と(b)とでＨＭＤテンプルに対する支持部の角度が異なる。
【図２０】本発明の一実施形態に係るヘッドマウントディスプレイの支持部と、同支持部が支持されるメガネを示す上面図であり、(a)と(b)とでメガネの幅が異なる。
【図２１】本発明の一実施形態に係るヘッドマウントディスプレイと、これを支持するメガネを示す左面図であり、(a)は支持部がＨＭＤテンプルから浮いている状態を、(b)は支持部がＨＭＤテンプルに接している状態を示す。
【図２２】本発明の一実施形態に係るヘッドマウントディスプレイと、これを支持するメガネを示す左面図であり、(a)に対して(b)では画像表示ユニットが下がっている形態を示す。
【図２３】本発明の一実施形態に係るヘッドマウントディスプレイの斜視図であり、(a)に対して(b)では画像表示ユニットを上下入れ替えて取り付けた形態を示す。
【図２４】(a)は、図１６(b)から上下左右反転した状態を、(b)は(a)に対して支持部を上下反転した形態を示す。
【図２５】本発明の一実施形態に係るヘッドマウントディスプレイの支持部を上下反転する様子を示す斜視図である。
【発明を実施するための形態】
【００２０】
以下に本発明の一実施形態につき図面を参照して説明する。以下は本発明の一実施形態であって本発明を限定するものではない。
【００２１】
図中に直交３軸ＸＹＺを示す。Ｘ軸は左右方向を、Ｙ軸は前後方向を、Ｚ軸は上下方向を示す。
図１、図２、図３に示すように本実施形態のヘッドマウントディスプレイ１Ａは、画像表示ユニットａと、画像表示ユニットａが取り付けられる頭部装着具とを備えて構成される。この頭部装着具は、装着者Ｈの顔前に配置されて左右方向に延設されるメインフレーム１０と、メインフレーム１０の両端に連続する一対のＨＭＤテンプル２０，２０とを備えて構成される。
ＨＭＤテンプル２０は、前方部２１と後方部２２とに分割されている。ＨＭＤテンプル２０は、後方部２２がストレートに形成されたストレート型のテンプルである。後述の左右転換を実施するために、特にストレート型のテンプルとしたものである。
【００２２】
画像表示ユニットａは、装着者Ｈの眼前に配置される表示部材ａ１０と、表示部材ａ１０に表示される画像を生成するための画像生成部（不図示）とが筺体ａ２０に固定され、筐体ａ２０に表示部材ａ１０の基端部及び画像生成部が収容されてなる。
表示部材ａ１０の筐体ａ２０から突設された部分の一側面（後方側面）に画像が観察されるように表示部ａ１１が構成される。
画像表示ユニットａは、筐体ａ２０内の光源や液晶表示素子等で構成された画像生成部で生成された画像光を表示部材ａ１０を介して装着者Ｈの瞳孔に導光する。画像生成部で生成された画像光は表示部材ａ１０内を反射して進み、表示部材ａ１０内に傾斜して配置されたホログラム素子ａ１３に入射する。ホログラム素子ａ１３は特定の波長（ＲＧＢに対応する３つの波長）の光のみを回折し、装着者Ｈの瞳孔に向けるように設けられている。これにより表示部材ａ１０は、外界の光を透過させて装着者Ｈの瞳孔に入射させることが可能なシースルー型の表示部材を構成する。装着者Ｈは、外界の実観察像と、その実観察像の一部に重畳して表示部材ａ１０を介して導光される画像光による表示画像（虚像）を視覚することができ、その表示画像の範囲でも表示部材ａ１０を透過して実観察像を視覚することができる。
本実施形態のヘッドマウントディスプレイ１Ａは、片眼表示タイプであるが、両眼表示タイプを実施してもよい。
【００２３】
図１、図２、図３に示すように、ヘッドマウントディスプレイ１Ａは、一対のＨＭＤテンプル２０，２０が装着者Ｈの耳に掛けられるとともに、装着者Ｈが装着しているメガネ１００に支持される支点が設けられて装着される。その支点は、一対の支持部３０，３０によって構成される。
すなわち、一対の支持部３０，３０のそれぞれは、装着者Ｈの耳Ｈ１より前方でメガネ１００のテンプル１０１に接して支点を構成する。本実施形態の支持部３０は、テンプル１０１の上端に接する、すなわち、テンプル１０１の上に乗せられる形態のものである。
このような一対の支持部３０，３０が一対のＨＭＤテンプル２０，２０に連結して設けられている。詳しくは、ＨＭＤテンプル２０の後方部２２に支持部３０が連結されている。
ＨＭＤテンプル２０の前方部２１は、支持部３０と後方部２２との連結部より前方で、後方部２２に対し上下に回動可能となるように軸ヒンジ２１ａを介して連結されている。軸ヒンジ２１ａの軸方向がＸ軸方向である。
【００２４】
各ＨＭＤテンプル２０の前端は、軸ヒンジ２１ｂによって、メインフレーム１０に連結されている。軸ヒンジ２１ｂの軸方向がＺ方向であり、典型的なメガネフレームのように、一対のＨＭＤテンプル２０，２０を開いたり、閉じたりする動作が可能である。
また、軸ヒンジ２１ｂがガイド孔１０ａに移動可能に保持されている。軸ヒンジ２１ｂがガイド孔１０ａに沿って移動することで、一対のＨＭＤテンプル２０，２０の前端を互いに近づけたり離したりできるように構成されている。すなわち、比較的小さい頭部サイズに対応するように、一対のＨＭＤテンプル２０，２０同士を互いに略平行の状態で比較的近くに配置したり、比較的大きい頭部サイズに対応するように、一対のＨＭＤテンプル２０，２０同士を互いに略平行の状態で比較的遠くに配置したりすることでき、それらの状態との間で適宜調整が可能である。また、比較的小さい頭部サイズに対応する場合は、一対のＨＭＤテンプル２０，２０の全体がやや前方に、比較的大きい頭部サイズに対応する場合は、一対のＨＭＤテンプル２０，２０の全体がやや後方に配置されるように、ガイド孔１０ａが斜めに形成されている。
所定のピッチで軸ヒンジ２１ｂを段階的に移動可能とし、各位置で保持するように、ガイド孔１０ａの内縁にセレーションを形成しておくことが好ましい。また、軸ヒンジ２１ｂの位置調整を許容するために、ガイド孔１０ａの形成部材に適度な弾性を持たせる。これにより、使用中に、軸ヒンジ２１ｂが移動しないように保持することできるとともに、ガイド孔１０ａの延在方向に力を加えることで位置調整することができる。
【００２５】
次に、画像表示ユニットａの支持構造につき説明する。
図４(a)に示すように、画像表示ユニットａの筺体ａ２０がメインフレーム１０に取り付けられる。この状態で表示形態である。
メインフレーム１０は、表示形態時の画像表示ユニットａの右側で右側に延出する表示部右延出部１１Ｒと、表示形態時の画像表示ユニットａの左側で左側に延出する表示部左延出部１１Ｌとを有する。
詳しくは、表示部右延出部１１Ｒの左端は、筺体ａ２０の右側面に隣接した位置に配置され、そこから、右方へ延出する。表示部左延出部１１Ｌの右端は、筺体ａ２０の左側面に隣接した位置に配置され、そこから、左方へ延出する。本実施形態は、表示部ａ１１を装着者Ｈの右眼前に配置し画像表示ユニットａを右側に偏在させて配置した右眼表示形態に構成されているから、表示部左延出部１１Ｌは長く、それに対して表示部右延出部１１Ｒは短く形成されている。表示部左延出部１１Ｌは装着者の眉間に対向するメインフレーム１０の中央部を含む。
【００２６】
表示部右延出部１１Ｒ及び表示部左延出部１１Ｌより後方に、画像表示ユニットａの後面が配置される。詳しくは、筺体ａ２０の後面ａ２１が、表示部右延出部１１Ｒの後面１１Ｒ１及び表示部左延出部１１Ｌの後面１１Ｌ１より後方に配置される。
メインフレーム１０は、図４(b)に示すように表示部右延出部１１Ｒの左端部１１Ｒ２と表示部左延出部１１Ｌの右端部１１Ｌ２とを繋ぐブリッジ部１２を有する。
ブリッジ部１２は、画像表示ユニットａの後面ａ２１の後ろ側を通って左右に渡るように設けられている。
ブリッジ部１２は、ブリッジ主部１２Ｍと、右脚部１２Ｒと、左脚部１２Ｌとからなる。ブリッジ主部１２ＭがＸ座標について表示形態時の画像表示ユニットａが配置される範囲を渡る部分であり、左右方向に長く延設されている。
ブリッジ主部１２Ｍは、後面ａ２１の後ろ側を通って左右に渡るので、表示部右延出部１１Ｒ及び表示部左延出部１１Ｌとの間に前後方向の落差が生じる。右脚部１２Ｒ及び左脚部１２Ｌは、この落差を埋める部分である。すなわち、右脚部１２Ｒは、ブリッジ主部１２Ｍの右端部に連続し、前方に延設されて表示部右延出部１１Ｒの左端部１１Ｒ２に繋がっている。左脚部１２Ｌは、ブリッジ主部１２Ｍの左端部に連続し、前方に延設されて表示部左延出部１１Ｌの右端部１１Ｌ２に繋がっている。
【００２７】
表示部右延出部１１Ｒ及び表示部左延出部１１Ｌに熱伝導性材料が適用され、表示形態時に当該熱伝導性材料が画像表示ユニットａにおける発熱を吸熱するように熱的に接続される。画像表示ユニットａの発熱を表示部右延出部１１Ｒ及び表示部左延出部１１Ｌに逃がして放熱する。この熱的な接続のために、右脚部１２Ｒ、左脚部１２Ｌ、右ラッチ部１６Ｒ、左ラッチ部１６Ｌ、筐体ａ２０の少なくとも左右側部のメインフレーム１０との接触部にも熱伝導性材料が適用される。また、筐体ａ２０内の電力消費による発熱部を筐体ａ２０のメインフレーム１０との接触部に熱的に接続する。
図４(a)に示すように画像表示ユニットａの後面ａ２１と、ブリッジ主部１２Ｍとの間に空隙１２Ａが設けられている。空隙１２Ａは、装着者側へ熱伝導することを防止するための断熱層として働く。したがって、空隙１２Ａの部分を断熱性材料で埋めてもよい。
また、ブリッジ部１２の装着者の顔に対向する後面１２Ｍ１を被覆する断熱性材料からなるカバー１３がブリッジ部１２に付設されている。ブリッジ主部１２Ｍが装着者の顔に直接接触することを防ぐとともに、装着者に伝わる熱を抑えるためである。
以上の熱伝導性材料としては、熱伝導率が５〜３００（W/m・K）のものと適用することが好ましい。材料例としては、アルミ（熱伝導率  ２５０（W/m・K））、マグネシウム（熱伝導率  １５６（W/m・K））、熱伝導樹脂（熱伝導率  ７（W/m・K））が挙げられる。
以上の断熱性材料としては、熱伝導率が０〜０．３（W/m・K）のものと適用することが好ましい。材料例としては、シリコーンゴム（熱伝導率  ０．２（W/m・K））、ポリカーボネイト（熱伝導率  ０．１９（W/m・K））が挙げられる。なお、空気の熱伝導率は、０．０２４（W/m・K）である。
【００２８】
図５から図８によって示すように、表示形態時の画像表示ユニットａを前後方向軸Ｙ回りの第１ヒンジを介して支持し、上下方向軸回りの第２ヒンジ１４ｂを介してメインフレーム１０に連結されたアーム１４を備える。
筐体格納部１０ｃの左右で、表示部右延出部１１Ｒ及び表示部左延出部１１Ｌより前方に突出する部分である表示部右前突部１５Ｒ及び表示部左前突部１５Ｌが右脚部１２Ｒと、左脚部１２Ｌに連続して設けられている。
アーム１４は、ブリッジ主部１２Ｍとほぼ同じ長さで、ブリッジ主部１２Ｍの反対側である前側に掛けられ、ブリッジ部１２、表示部右前突部１５Ｒ、アーム１４、表示部左前突部１５Ｌによって、図１、図２に示すように筐体ａ２０を取り囲み、図５に示す筐体格納部１０ｃを画成する。表示形態時に、筐体格納部１０ｃに筐体ａ２０が格納され固定保持される。
第２ヒンジ１４ｂは、アーム１４と表示部左前突部１５Ｌとを連結するように設けられている。アーム１４の右端は、図５の状態で表示部右前突部１５Ｒに捕捉されている。なお、表示部右前突部１５Ｒにアーム１４を捕捉して保持するロック機構が構成されており、ロック解除操作も可能である。
第１ヒンジの軸部１４ａが、アーム１４のスパン中央部内側に後方に突出するように形成されている。一方、図６に示すように、筐体ａ２０の前面に第１ヒンジの孔部ａ２２が構成されている。図７、図８に示すように軸部１４ａが孔部ａ２２に嵌め入れられることで第１ヒンジが構成され、表示形態時の画像表示ユニットａを前後方向軸Ｙ回りの第１ヒンジを介して支持する。
【００２９】
以上のように第１ヒンジ（１４ａ，ａ２２）は、画像表示ユニットａの左右方向寸法の中央に配置され、第２ヒンジ１４ｂは、画像表示ユニットａの左右片側に配置される。
図１，２等に示すように表示形態時には、第１ヒンジによる画像表示ユニットａの上下左右反転動作が不能となるようにメインフレーム１０で保持される。特に、ガタつきなく保持するために、筐体格納部１０ｃの左右内側部のそれぞれにラッチ部１６Ｌ，１６Ｒが設けられている。ラッチ部１６Ｌ及びラッチ部１６Ｒは左右対称で、前後方向に長い溝を有する。この溝に、筐体ａ２０の左右側部に形成された固定用ブレードａ２３（図９(b)及び図１０参照）が捕えられて画像表示ユニットａはメインフレーム１０に固定される。
【００３０】
図９(a)→図９(b)→図１０(a)→図１０(b)→図１１の過程、又はその逆過程で分かるように、第２ヒンジ１４ｂ回りに回動して画像表示ユニットａを前方へ離脱させることで、第１ヒンジ（１４ａ，ａ２２）による画像表示ユニットａの上下左右反転動作が可能とされている。
図１０に示すように画像表示ユニットａを第２ヒンジ１４ｂ回りに約９０度回動させて前方へ離脱させた上で、略左右方向に配された第１ヒンジ（１４ａ，ａ２２）回りに回動させて上下左右反転動作させる。その際、図１０(a)に示すように筐体格納部１０ｃの空間も利用して画像表示ユニットａを回転させる。
【００３１】
図８等に示すようにヘッドマウントディスプレイ１Ａは、画像表示ユニットａの筐体ａ２０から延出するケーブル４０を、第１ヒンジ（１４ａ，ａ２２）近傍を通し、さらに第２ヒンジ１４ｂ近傍を通して引き出した構成とされる。これにより、図９(a)→図９(b)→図１０(a)→図１０(b)→図１１の過程及びその逆過程の動作が円滑に可能であり、ゲーブル４０に余裕長をほとんど持たせず引き回しでき、ゲーブル４０への負荷も抑えられる。
さらに、ゲーブル４０への負荷を抑えるために、画像表示ユニットａが１８０度を超えて回らないようにした。すなわち、第１ヒンジ（１４ａ，ａ２２）による回転は、画像表示ユニットａの上下左右反転動作が可能とされる範囲に限定するように規制されている。具体的な規制構造は次のとおりである。図５に示すように、アーム１４の内面の第１ヒンジの軸部１４ａと第２ヒンジ１４ｂとの間に、ケーブルホルダー１４ｃが形成されている。第１ヒンジ（１４ａ，ａ２２）近傍から第２ヒンジ１４ｂ近傍を引き回されるケーブル４０がケーブルホルダー１４ｃに嵌め入れられて保持される。筐体ａ２０の前方部下面がケーブルホルダー１４ｃに当接して止まる規制構造である。
以上によりゲーブル４０にかかる負荷が抑えられ、ゲーブル４０の導線劣化、断線等が防がれ、長期的に使用できる良好な品質保持性が達成される。
【００３２】
図１，図２に示すようにケーブル４０が、頭部装着具の画像表示ユニットａを偏在させた側（図１，図２で右側）の反対側（左側）に引き出された構成とされる。これにより、ケーブル４０は、装着者の眉間に対向するメインフレーム１０の中央部を通るから、本ヘッドマウントディスプレイの左右の重量バランスが良好である。
表示部左延出部１１Ｌは、その長手方向に貫通する中空部が形成された中空構造とされており、この中空部にケーブル４０が通される。
ケーブル４０がメインフレーム１０の上下、前後等に延出していないので、本ヘッドマウントディスプレイの装着や、ヘルメット、帽子等を併せて着用する際に本ヘッドマウントディスプレイの装着及びヘルメット、帽子等の着用に支障がない。また、ケーブル４０は、メインフレーム１０内を通っているから、外圧等から保護され、かつ、露出が少なく美観を損ねない。
【００３３】
次に、支持部３０の単体の構造、ＨＭＤテンプル２０への連結構造につき説明する（図１２〜図１８を適宜参照のこと）。
支持部３０の斜視図を図１２に、分解斜視図を図１３，図１４に示す。支持部３０は、連結フレーム３１と、左右回動フレーム３２と、ゴムパッド３３の３部品からなる。
ゴムパッド３３は、メガネ１００（図３参照）のテンプル１０１に接する部位であるため、滑り止め性のあるゴム材により構成されている。
左右回動フレーム３２がゴムパッド３３の内側に嵌め入れられて、ゴムパッド３３が左右回動フレーム３２に一体に固定される。なお、左右回動フレーム３２及びゴムパッド３３に互いを固定するための抜け止め形状が形成されており、ゴムパッド３３の弾性変形を伴って、左右回動フレーム３２がゴムパッド３３の内側に嵌め入れられる。
連結フレーム３１の後端部には、左右回動軸部３１ａが凸設されており、これに嵌合する軸受メス部３２ａが左右回動フレーム３２に穿設されている。左右回動軸部３１ａが軸受メス部３２ａに嵌め入れられて、左右回動フレーム３２が連結フレーム３１に左右に回動可能に保持される。なお、左右回動軸部３１ａ及び軸受メス部３２ａに互いを固定するための抜け止め形状が形成されており、左右回動軸部３１ａは弾性変形しやすいように割りが入っていて、左右回動軸部３１ａの弾性変形を伴って、左右回動軸部３１ａが軸受メス部３２ａに嵌め入れられる。
嵌め入れ後、左右回動軸部３１ａの弾性回復する力で、軸受メス部３２ａの内面を押圧している。これにより、左右回動フレーム３２と連結フレーム３１とが、弾性的な摩擦嵌め合いにより嵌合連結している。
【００３４】
左右回動フレーム３２の軸受メス部３２ａより前方側には、略扇形の回動規制孔３２ｂが形成されており、連結フレーム３１の左右回動軸部３１ａより前方側には、回動規制凸部３１ｃが形成されている。回動規制凸部３１ｃの前端部は、前方に突出する前方保持突起３１ｃ１を構成する。
左右回動軸部３１ａを軸受メス部３２ａに嵌め入れる際には、まず、前方保持突起３１ｃ１を回動規制孔３２ｂに挿入して、ゴムパッド３３取付側に配置し、左右回動軸部３１ａを軸受メス部３２ａに押し入れる。
図１５に示すように、回動規制凸部３１ｃが回動規制孔３２ｂの内縁に当接することで、左右回動フレーム３２（これに一体に固定されたゴムパッド３３）の左右回動を規制する。例えば、±５°に設定される。
【００３５】
連結フレーム３１の後端部の左右回動軸部３１ａの逆側には、連結ハウジング３１ｂが形成されている。連結ハウジング３１ｂは、前面及び後面が開口しており、左右側面と上面に部材を有する構造であり、左右両側部の内側にはピボット突起３１ｂ１，３１ｂ１，上面部には後端から切り込まれるスリット３１ｂ２が形成されている。スリット３１ｂ２が形成されていることで、連結ハウジング３１ｂの弾性変形により、左右両側部のピボット突起３１ｂ１，３１ｂ１が離れたり、近づいたりする変形がしやすくされている。ピボット突起３１ｂ１，３１ｂ１同士は、同軸に形成されていて対向配置されている。
図１６(b)、図１７等に示すように、連結ハウジング３１ｂの後方から、ＨＭＤテンプル２０の後方部２２を挿し込む。後方部２２は、前方から、軸ヒンジ２１ａと連結するヒンジ連結部２２ａ、連結ハウジング３１ｂと連結する支持部連結部２２ｂ、円柱部２２ｃを有する。
連結ハウジング３１ｂの後方から後方部２２を挿し込み、ヒンジ連結部２２ａを連結ハウジング３１ｂより前方に突出させ、支持部連結部２２ｂを連結ハウジング３１ｂに嵌合させる。支持部連結部２２ｂに左右両側面には前後方向に延在するガイド溝２２ｂ１，２２ｂ１が形成されている。ガイド溝２２ｂ１，２２ｂ１にピボット突起３１ｂ１，３１ｂ１が嵌って、支持部連結部２２ｂが連結ハウジング３１ｂを左右に押し広げることで固定される。これにより、支持部３０とＨＭＤテンプル２０とが、弾性的な摩擦嵌め合いにより嵌合連結している。
【００３６】
図１８に示すように、連結ハウジング３１ｂの内側上下面は、ピボット突起３１ｂ１を起点に前後の開口端に近づくほど上下面間を広げるように傾斜して形成されている。図１９に示すように、この傾斜面３１ｂ３に支持部連結部２２ｂが当接することで、ピボット突起３１ｂ１を中心にした支持部３０の上下回動が所望の角度範囲に規制される。
【００３７】
以上のように、支持部３０は、ＨＭＤテンプル２０の長手方向に対し略平行に長く形成され、耳側に近い後端部においてＨＭＤテンプル２０に対し上下及び左右の回動が可能に連結されている。支持部３０、具体的にはＨＭＤテンプル２０に接する部位であるゴムパッド３３を、ＨＭＤテンプル２０の長手方向に対し略平行に長く形成することで、ゴムパッド３３とテンプル１０１との接触面積を大きく確保し、滑り止め効果を最大限発揮させることができる。
また、ピボット突起３１ｂ１，３１ｂ１がガイド溝２２ｂ１，２２ｂ１に沿って摩擦摺動により移動可能である。したがって、支持部３０は、ＨＭＤテンプル２０に沿って前後のスライド動作が可能に連結されている。
また、支持部３０とＨＭＤテンプル２０とは、ＨＭＤテンプル２０に対する支持部３０の配置の操作を許容するとともに任意の配置で安定保持するように弾性的な摩擦嵌め合いにより嵌合連結している。摩擦嵌め合いの作用を受ける配置の操作とは、支持部３０のＨＭＤテンプル２０に対する上下回動、左右回動、前後スライド移動である。
【００３８】
以上説明した支持部３０の可動機能により、次の作用効果がある。
図２０(a)に示すように、装着者Ｈが装着するメガネが比較的小さなメガネ１００Ａである場合は、ゴムバッド３３を内側に回動させて配置することで、メガネ１００Ａのテンプルに載るように位置調整することができる。
図２０(b)に示すように、装着者Ｈが装着するメガネが比較的大きなメガネ１００Ｂである場合は、ゴムバッド３３を外側に回動させて配置することで、メガネ１００Ｂのテンプルに載るように位置調整することができる。
なお、ゴムバッド３３の内側、外側への位置調整は、上述したガイド孔１０ａに沿ったＨＭＤテンプル２０全体の移動によっても達成できる。これに対し、ゴムバッド３３の左右回動による機能は、ＨＭＤテンプル２０に対しても独立に移動する点で異なる。したがって、ＨＭＤテンプル２０の装着時の位置が決まってしまった後にも、ゴムバッド３３を独立して左右に移動させることができる。
【００３９】
図２１に示すように、テンプルより、フロント部の上端が高く、比較的その落差が大きいメガネ１００Ｃに支持させて、本ヘッドマウントディスプレイ１Ａを装着する場合につき言及する。
図２１(a)に示したように、ＨＭＤテンプル２０が前方部２１から後方部２２までストレートであると、ゴムパッド３３がメガネ１００Ｃのテンプルから浮いてしまうことがある。この場合、図２１(b)に示すように、軸ヒンジ２１ａでＨＭＤテンプル２０を屈曲させることで、支持部３０を下げ、ゴムパッド３３をメガネ１００Ｃのテンプルに接触させることができる。その際、支持部３０を適宜に上下回動させてゴムパッド３３の下面をメガネ１００Ｃのテンプルの上面と平行にし、ゴムパッド３３と同テンプルとの接触面積を大きく確保することができる。
【００４０】
図２２に示すように、テンプルとフロント部の上端高さが同じか、テンプルよりフロント部の上端が高く比較的その落差が小さいメガネ１００Ｄに支持させて、本ヘッドマウントディスプレイ１Ａを装着する場合につき言及する。
この場合も、支持部３０を適宜に上下回動させてゴムパッド３３の下面をメガネ１００Ｄのテンプルの上面と平行にし、ゴムパッド３３と同テンプルとの接触面積を大きく確保することができる。
図２２(a)の状態から図２２(b)の状態、又は図２２(b)の状態から図２２(a)の状態というように、軸ヒンジ２１ａを中心に前方部２１を回動させることで、画像表示ユニットａが上下に移動し、表示部ａ１１の高さ位置を調整することができる。
軸ヒンジ２１ａにおける連結も適度な抵抗力で摩擦摺動するように構成する。
【００４１】
支持部３０を前後スライド移動させて、ゴムパッド３３の前後方向位置を調整することが可能である。これにより、メガネ１００（１００Ｃ，１００Ｄ）の形状に合わせてゴムパッド３３の前後方向位置を調整することができる。例えば、メガネ１００（１００Ｃ，１００Ｄ）のフラットな面や面積の大きい部分にゴムパッド３３を配置したり、ゴムパッド３３の前端をメガネ１００（１００Ｃ，１００Ｄ）のテンプルからフロント部に掛けての立ち上がり部分に当接させて前ずれを防止したりすることができる。
また、装着者Ｈの顔の形状に合わせてゴムパッド３３の前後方向位置を適宜に調整することができる。例えば、ゴムパッド３３が顔側面に強く当たってしまう場合に、ゴムパッド３３の前後方向位置を調整することで回避できる場合がある。
支持部３０の前後スライド可動量は、支持部連結部２２ｂ及びガイド溝２２ｂ１，２２ｂ１を長尺に形成することで、拡大可能である。
【００４２】
図９、図１０、図１１に示すとともに上述したように、画像表示ユニットａはメインフレーム１０に対して取り外すことなく上下転換設置可能に構成されている。画像表示ユニットａが取り付けられるアーム１４及び左右ラッチ部１６Ｌ，１６Ｒ（図５参照）は、Ｘ軸回りに上下回動が可能である。すなわち、画像表示ユニットａの上下回動支持機構（煽り角調整機構）が構成される。その回動の軸は、表示部ａ１１から離れているので、画像表示ユニットａの上下回動に伴い、表示部ａ１１の煽り角のみならず表示部ａ１１の高さ位置も変更される。
図２１、図２２の各状態から、画像表示ユニットａの上下回動支持機構（煽り角調整機構）を用いて、表示部ａ１１の煽り角や高さ位置をさらに調整可能であり、画像表示ユニットａの上下回動と、ＨＭＤテンプル２０の可動を共働させて、表示部ａ１１を適切な位置に調整可能である。
【００４３】
次に、画像表示ユニットａの左右転換につき説明する。
本ヘッドマウントディスプレイ１Ａは、右眼表示の形態と左眼表示の形態と間で相互に転換可能である。
まず、図２３(a)に示す右眼表示の形態から、図９(a)→図９(b)→図１０(a)→図１０(b)→図１１の過程により画像表示ユニットａを取り外すことなく上下反転さることで図２３(b)の状態とする。
次に図２３(b)中に矢印Ｒで示すようにヘッドマウントディスプレイ１Ａを、Ｙ軸回りに１８０°回転させると図２４(a)に示す状態となるから、このまま装着すれば、画像表示ユニットａは左眼前に配置される。しかし、図２４(a)に示すようにゴムバッド３３が上を向いているので、支持部３０をＹ軸回りに１８０°回転させて図２４(b)に示す状態とし、支持部３０を使用可能とする。
支持部３０のＹ軸回りの回転操作は、図２５に示すように、まず、ＨＭＤテンプル２０の後方部２２に対して支持部３０を後方に移動させて、連結ハウジング３１ｂを支持部連結部２２ｂから離脱し円柱部２２ｃに配置する。円柱部２２ｃは、連結ハウジング３１ｂが回転する程度に小径に構成されている。したがって、支持部３０をＹ軸回りに１８０°回転させることができる。すなわち、支持部３０がＨＭＤテンプル２０に保持されたままＨＭＤテンプル２０の長手方向軸を中心に１８０°転換設置可能に構成されている。
支持部３０を１８０°転換ができたら、支持部３０を前方に戻して連結ハウジング３１ｂを支持部連結部２２ｂに嵌合させる。
以上のような連結ハウジング３１ｂ及び円柱部２２ｃを要部とした１８０°転換機構が構成されているので、支持部３０を取り外すことがなく、支持部３０の紛失を防止することができ、また不意な支持部３０の脱落も防止できる。
【００４４】
以上の実施形態によれば、画像表示ユニットａは装着者の顔に接触することはなく、メインフレーム１０の画像表示ユニットの左右両側に配置される表示部右延出部１１Ｒ及び表示部左延出部１１Ｌも装着者の顔に接触することはなく、画像表示ユニットａの発熱を表示部右延出部１１Ｒ及び表示部左延出部１１Ｌに逃がして放熱することができるから、画像表示ユニットａに大型の放熱部材を設けることもなく、良好な小型軽量性及び放熱性を有し、装着性、品質保持性に優れたヘッドマウントディスプレイを構成することができる。
メインフレーム１０の途中にブリッジ部１２を設けることで、筐体ａ２０の後面ａ２１を表示部右延出部１１Ｒ及び表示部左延出部１１Ｌより後方に配置することができる。ブリッジ部１２のブリッジ主部１２Ｍ（カバー１３）が装着者の顔に接触して装着されても、表示部右延出部１１Ｒ及び表示部左延出部１１Ｌは、ブリッジ主部１２Ｍよりも、さらには筐体ａ２０の後面ａ２１よりも前方に配置されており、装着者の顔との間に隙間が確保される。
したがって、画像表示ユニットａ並びに表示部右延出部１１Ｒ及び表示部左延出部１１Ｌは装着者の顔に接触しないから、画像表示ユニットａの発熱を表示部右延出部１１Ｒ及び表示部左延出部１１Ｌに逃がして放熱しても、装着者に熱による痛みを与えたり火傷させたりすることはなく、快適で安全な装着性を損なうことがない。また、電気部品の寿命を縮めることなく、品質保持性に優れる。
アーム１４、表示部右前突部１５Ｒ及び表示部左前突部１５Ｌが設けられることで、筐体ａ２０（筐体格納部１０ｃ）の回り一周でメインフレーム１０は繋がり、この部分における剛性が確保される。
仮に、メインフレームの画像表示ユニットを取り付ける部位にブリッジ部を設けず、メインフレームをストレートな形状とすると、画像表示ユニットをさらに前方に配置しなければならないなど、大型化するが、本実施形態によれば、その点でも小型に構成できる。また、メインフレームに後方に凸なブリッジ部がないと、メインフレームが装着者の顔に沿って長く接触するおそれがある。
【００４５】
上述したように画像表示ユニットａは、横方向に開く第２ヒンジ１４ｂを有したアーム１４に回動保持されているので、アーム１４を開くことにより、画像表示ユニットａを引き出し、回転させることにより、片眼表示形態の左右切り替えを可能にする。
ケーブル４０をアーム１４に沿わせて配置しているので、片眼表示形態の左右切り替え時に、ユーザーがケーブル４０をフレームなどに引っ掛けて  断線させるなどの事故を防ぐことができる。
アーム１４に対し、画像表示ユニットａを１８０度以上回転しない構成としたので、画像表示ユニットａを１方向に回しすぎてケーブル４０を断線させるような事故を防ぐことができる。
アーム１４の第２ヒンジ１４ｂをメインフレーム１０の中央付近に配置し、ケーブル４０を、第２ヒンジ１４ｂを跨いで反対側に引き出したので、本ヘッドマウントディスプレイ１Ａの左右の重量バランスが良く、装着性が向上する。
ＨＭＤテンプル２０，２０に、メガネへの支持部３０，３０を設けたので、メガネの上から装着可能になり、本ヘッドマウントディスプレイ１Ａの荷重を、メガネで上下方向に受けるので、一対のＨＭＤテンプル２０，２０による頭部ホールド力は最小限で良く、装着性が向上する。
【００４６】
また、以上の実施形態によれば、メガネ１００に接して支持される支持部３０をＨＭＤテンプル２０の前端のヒンジ部（２１ｂ）と耳Ｈ１の間に一対配置したため、ヘッドマウントディスプレイ１Ａの重量は、メガネ１００のフロント部に集中せず、耳と鼻に分散され、左右バランスも良く、安定して重さを感じにくいという優れた装着性を奏する。
また、メガネ１００のフロントフレームの形状に左右されないので、装着に際し、メガネの種類を限定せず使用可能である。
支持部３０を上下左右に可動保持しているので、支持部３０をメガネ１００のテンプル１０１の形状に柔軟に添わせることができ、滑り止め効果を有効に発揮できる。
本実施形態によれば、支持部３０をＨＭＤテンプル２０の長手方向軸まわりに回転可能に保持したので、画像表示ユニットａをメインフレーム１０に対し上下左右反転し、メインフレーム１０を上下左右反転させて表示部ａ１１の配置を左右に切り替えた場合でも、支持部３０をメガネ１００のテンプル１０１側に向けることができ、支持部３０を用いて支持した装着形態をとることができる。
【符号の説明】
【００４７】
１Ａ   ヘッドマウントディスプレイ
１０   メインフレーム
１０ａ ガイド孔
１０ｃ 筐体格納部
１１Ｌ 表示部左延出部
１１Ｌ１      後面
１１Ｌ２      右端部
１１Ｒ 表示部右延出部
１１Ｒ１      後面
１１Ｒ２      左端部
１２   ブリッジ部
１２Ａ 空隙
１２Ｌ 左脚部
１２Ｍ ブリッジ主部
１２Ｍ１      後面
１２Ｒ 右脚部
１３   カバー
１４   アーム
１４ａ 第１ヒンジの軸部
１４ｂ 第２ヒンジ
１４ｃ ケーブルホルダー（回転規制部）
１５Ｌ 表示部左前突部
１５Ｒ 表示部右前突部
１６Ｌ，１６Ｒラッチ部
２０   ＨＭＤテンプル
３０   支持部
４０   ケーブル
ａ     画像表示ユニット
ａ１０ 表示部材
ａ１１ 表示部
ａ１３ ホログラム素子
ａ２０ 筐体
ａ２１ 後面
ａ２２ 第１ヒンジの孔部
ａ２３ 固定用ブレード
Ｈ     装着者
Ｈ１   耳
【図１】
0006604229.tif 000002
【図２】
0006604229.tif 000003
【図３】
0006604229.tif 000004
【図４】
0006604229.tif 000005
【図５】
0006604229.tif 000006
【図６】
0006604229.tif 000007
【図７】
0006604229.tif 000008
【図８】
0006604229.tif 000009
【図９】
0006604229.tif 000010
【図１０】
0006604229.tif 000011
【図１１】
0006604229.tif 000012
【図１２】
0006604229.tif 000013
【図１３】
0006604229.tif 000014
【図１４】
0006604229.tif 000015
【図１５】
0006604229.tif 000016
【図１６】
0006604229.tif 000017
【図１７】
0006604229.tif 000018
【図１８】
0006604229.tif 000019
【図１９】
0006604229.tif 000020
【図２０】
0006604229.tif 000021
【図２１】
0006604229.tif 000022
【図２２】
0006604229.tif 000023
【図２３】
0006604229.tif 000024
【図２４】
0006604229.tif 000025
【図２５】
0006604229.tif 000026